(57)【要約】【課題】特殊な部材や駆動機構を利用したり、特殊な加工を施すことなく、光ディスクメディアが挟持されている状態から解除されるときに、前記光ディスクメディアがクランパ部材に貼り付いて残留することなく、確実に離脱させることができる光ディスク装置を提供する。【解決手段】スピンドルモータ１と、スピンドルモータ１の出力軸１１に固定されたターンテーブル２と、ターンテーブル２と対向して配置されたクランパユニット３とを有し、クランパユニット３にはクランパ部材５を備えており、本体部５４０と、内壁部５１０と一体接続された接続部５４１と、端部に向かって拡がる形状の傾斜部５４２と、突設された接触ボス５４３とを有しており、接触ボス５４３はその先端部がディスク圧着部５３よりも下方に突出している。【選択図】図５
2008257795.tif 000002
【特許請求の範囲】
【請求項１】
上部に光ディスクが載置されるターンテーブルと、前記ターンテーブルと前記光ディスクを挟持するクランパユニットとを有し、
前記ターンテーブルは前記光ディスクが載置されるディスク載置部を有し、
前記クランパユニットは樹脂の一体成型にて形成された円筒形状のクランパ部材を有しており、
前記ターンテーブルと前記クランパ部材とで前記光ディスクを挟持し、前記光ディスクを回転させるとともにレーザ光を照射して情報を再生又は記録する光ディスク装置であって、
前記クランパ部材の下面には、一部が前記クランパ部材の下面より突出した弾性部が備えられており、前記弾性部は前記光ディスクが前記ターンテーブルと前記クランパ部材とで挟持されているとき、弾性変形するとともにその反力で前記光ディスクを押しており、
前記弾性部は前記反力が前記ターンテーブルと前記クランパ部材との挟持力よりも小さくなるように形成されていることを特徴とする光ディスク装置。
【請求項２】
前記弾性部は前記クランパ部材と一体に形成されていることを特徴とする請求項１に記載の光ディスク装置。
【請求項３】
前記ターンテーブルは上部にヨークを有しており、
前記クランパユニットは内部に永久磁石と、磁性体で形成され、前記永久磁石の上部に前記永久磁石と接触して配置されたバックヨークとを有しており、
前記永久磁石、前記ヨーク及び前記バックヨークで発生する磁力によって光ディスクを挟持することを特徴とする請求項１又は請求項２に記載の光ディスク装置。
【請求項４】
前記永久磁石は円環状で形成され前記クランパ部材の軸に嵌合されるものであり、
前記バックヨークは中央に配置された円板部と、前記本体部の周縁部より径方向外部に向かって突出する係合部とを有する磁性板であり、
前記クランパ部材は円筒形状の本体部と、前記本体部の内壁部より中心軸に向けて突出した複数個のストッパ部と、前記本体部の中心軸と直交するように配置され、前記ストッパ部と一体的に連結された台座部と、一方の端部が前記本体部の内壁部と一体的に接続し、前記他方の端部が前記ストッパ部と対向した弾性部と、前記本体部の前記ストッパ部と前記弾性部の他方の端部の間より中心に向かって突出し、先端が下方に屈曲した押え部材とを有し、
前記弾性部は前記バックヨークの前記係合部と他方の端部で当接し、回り止めを行う部材であり、前記永久磁石は前記台座部に載置され、前記バックヨークは前記永久磁石の上部に配置されるとともに回転されることで前記弾性部にて回り止めがなされており、
前記クランパ部材の前記弾性部は、下面の前記他方の端部近傍に下方に突設された接触ボスを備えており、前記接触ボスは、その先端部が前記ディスク圧着部の光ディスク当接面よりも中心軸方向に下方に突出するように形成されており、
前記接触ボスの前記光ディスク突出する突出量が、前記光ディスクを挟持したときの前記弾性部の反力が前記ターンテーブルと前記クランパ部材の前記光ディスクを挟持する力よりも小さくなるように決定されていることを特徴とする請求項３に記載の光ディスク装置。
【請求項５】
前記クランパユニットは上部にクランパ部材を下方に押圧する押圧部材を備えていることを特徴とする請求項１又は請求項２に記載の光ディスク装置。
【発明の詳細な説明】
【技術分野】
【０００１】
本発明は挿入された光ディスクメディアを回転駆動軸に対して装着したり、離脱させたりする動作を行う光ディスク装置に関するものである。
【背景技術】
【０００２】
一般に、ＣＤやＤＶＤ等の光ディスクメディアに記録されたデータの再生や、前記光ディスクメディアにデータを記録する場合、前記光ディスクメディアの中央に形成されている取付孔の軸心（光ディスクメディアの回転中心）を回転駆動部の回転中心の正確に一致させた状態で、前記光ディスクメディアを回転させる機構が必要である。
【０００３】
前記光ディスク装置は、メインシャーシと、上部に光ディスクメディアを載置し、摺動することで前記光ディスクメディアを挿入／排出するディスクトレイと、前記挿入されたディスクトレイの下面に対して接近又は離反するトラバースシャーシと、前記トラバースシャーシに取り付けられ前記光ディスクを駆動回転させるディスク駆動機構と、前記トラバースシャーシに取り付けられ前記光ディスクの記録面にレーザ光を照射する光ピックアップと、前記メインシャーシに回転自在、且つ、前記ディスク駆動機構と対向して配置されたクランパ部材とを有している。
【０００４】
前記光ディスク装置は次のようにして、再生／記録される。まず、前記ディスクトレイの上部に光ディスクメディアが載置された状態で、前記ディスクトレイは前記光ディスク装置の内部に摺動される。前記ディスクトレイは光ディスク装置の再生／記録を行う位置まで移動してくると停止される。そして、前記トラバースシャーシが前記ディスクトレイに向けて接近（上昇）する。前記ディスクトレイには貫通孔が形成されており、前記トラバースシャーシが接近するときに前記ディスク駆動機構が前記ディスクトレイに形成された貫通孔を通過する。前記ディスク駆動機構の上部には中央が突出したターンテーブルが設けられており、前記ターンテーブルは中央の突出部が前記光ディスクメディアの中央に形成された取付孔を貫通し、前記光ディスクメディアの中央に形成された透明部を支持しつつ前記光ディスクメディアを持ち上げる。
【０００５】
前記ターンテーブルの中央の突出部にはヨークが取り付けられているとともに、前記クランパ部材には軸に嵌合された円環状の永久磁石と、磁性体であるバックヨークが前記永久磁石の上部に接触して配置されており、前記永久磁石及び前記バックヨークが外れないように固定されている。前記トラバースシャーシが上昇し、前記ターンテーブルが前記クランパ部材と接近することで、前記ヨーク、前記永久磁石、前記バックヨークとの間に発生する磁力にて前記ターンテーブルと前記クランパ部材は引き合い、前記光ディスクメディアを滑らないように強く挟持する。このように前記光ディスクメディアが持ち上げられた状態で前記ディスク駆動機構に備えられたスピンドルモータが回動し前記光ディスクメディアが回転する。
【０００６】
前記光ディスクメディアは持ち上げられて挟持されているので、回転するときに前記ディスクトレイやその他の部材と干渉することがなく、前記光ディスクメディアを回転させることが可能である。そして、この回転している光ディスクメディアに光ピックアップを利用してレーザ光を照射することで、データの記録或いは再生を実行する。
【０００７】
データの記録或いは再生が終了すると、前記光ピックアップよりのレーザ光の照射を停止するとともに、前記ディスク駆動機構を停止し前記光ディスクメディアの回転を停止させる。そして、前記トラバースシャーシを下降させ前記光ディスクメディアを前記クランパ部材より離脱させる。前記トラバースシャーシをさらに下降させることで、前記ターンテーブルは前記ディスクトレイの下方に移動し、前記ターンテーブルに載置されていた前記光ディスクメディアは前記ディスクトレイの上部に載置される。このように上部に前記光ディスクメディアが載置された状態で、前記ディスクトレイを外部に搬送させることで、前記光ディスクメディアを排出することができる。
【０００８】
ところで、最近、個人で記録した映像、音声等のデータを記録可能な光ディスクメディアに記録して、保存したり、他者に配布したりすることが増えている。前記記録可能な光ディスクメディアの中には、記録面の反対側のラベル面に文字、図柄等を印刷したり、印刷したラベルを前記ラベル面に貼ったりすることができるものがある。
【０００９】
このような、印刷可能或いはラベル貼付可能な光ディスクメディアの場合、そのラベル面の印刷やラベルが熱で変性し前記ラベル面に粘着力が発生することがある。このような粘着力が発生した光ディスクメディアを前記ターンテーブルと前記クランパ部材で挟持した場合、前記光ディスクメディアのラベル面が前記クランパ部材に張り付いてしまうことがある。この状態で、記録或いは再生が終了し、前記トラバースシャーシが下降したとしても、前記光ディスクメディアのラベル面がクランパ部材より離脱しなくなる可能性がある。
【００１０】
また、ＣＤやＤＶＤを貸し出すレンタル店では、貸し出されるＣＤ、ＤＶＤのラベル面に管理用のラベルが貼付されていることが多い。このラベルは接着剤を用いて貼付されており、前記管理用のラベルの即部より漏れた接着剤や、前記管理用のラベルを張り替えたときに前記光ディスクメディアに残留した接着剤によって上述の場合と同様に、前記光ディスクメディアのラベル面が前記クランパ部材より離脱できない場合がある。
【００１１】
このように、前記光ディスクメディアが前記クランパ部材より離脱していない状態で、前記ディスクトレイが前記光ディスク装置の外部に搬送されると、前記光ディスクメディアが前記光ディスク装置の内部にとどまって排出されなかったり、前記光ディスクメディアが引っかかって前記光ディスクメディアが破損したり、光ディスク装置の内部が破損したりする不具合が発生する。
【００１２】
この光ディスクメディアとクランパ部材との張り付きを抑制するために、前記クランパ部材の前記光ディスクメディアのラベル面と当接する部分に特殊な加工を施して、貼り付きを抑制するようにしたものがある。
【００１３】
また、特開２００４−３６２６９０号公報に示すように、光ディスクメディアをクランパ部材より離脱させるときに、前記クランパ部材より前記光ディスクメディアを物理的に離脱させる、ディスク離脱部材を備え、光ディスクメディアを離脱させるときに前記ディスク離脱部材で前記光ディスクメディアを押えて離脱させるようにしている。
【００１４】
さらに、特開２００２−１５０６４６号公報には回動可能に取り付けられている操作アームを用いて、クランプ部材を傾斜させて光ディスクより引き離すことで、光ディスクよりクランプ部材を剥離させるものが示されている。これにより、前記光ディスクが載置されるディスクテーブルの軸線に対して、クランプ部材の軸線を傾けることができるので、前記光ディスクが前記クランププレートから強制的に剥離される。
【特許文献１】特開２００４−３６２６９０号公報
【特許文献２】特開２００２−１５０６４６号公報
【発明の開示】
【発明が解決しようとする課題】
【００１５】
しかしながら、前記クランパ部材に貼り付きを抑制できる特殊な加工を施すものの場合、加工を施すための手間と時間がかかる。また、従来用いているクランパ部材に加工できるものであるとは限らないので、クランパ部材自体の素材を変更しなくてはならない場合もあり、効率が悪い。また、貼り付きを抑制できる素材は、非常に高価な場合が多く、このような高価な素材を用いると、コストアップしてしまう。
【００１６】
また、特開２００４−３６２６９０号公報に記載の発明の場合、ディスク離脱部材を別途製造、取付しなくてはならず、それだけ、光ディスク装置の製造に手間とコストがかかる。また、前記ディスク離脱部材を取り付けるため、従来の光ディスク装置は構造が異なり、新たに設計する必要がある。また、光ディスクメディアをクランパ部材より引き離すために、前記クランパ部材と前記ディスク離脱部材を連携させて動作させねばならず、そのための駆動機構も複雑である。
【００１７】
さらに、特開２００２−１５０６４６号公報に記載の発明の場合も同様に、操作アームを別途製造、取付しなくてはならず、それだけ、光ディスク装置の製造に手間とコストがかかる。また、従来の光ディスク装置に組み込むことは困難であり、新たに設計する必要がある。また、光ディスクメディアをクランパ部材より引き離すために、前記ディスクテーブルが支持されている支持台と前記操作アームとを連携させて動作させねばならず、そのための駆動機構も複雑である。
【００１８】
そこで本発明は、特殊な部材や駆動機構を利用したり、特殊な加工を施すことなく、光ディスクメディアが挟持されている状態から解除されるときに、前記光ディスクメディアがクランパ部材に貼り付いて残留することなく、確実に離脱させることができる光ディスク装置を提供することを目的とする。
【課題を解決するための手段】
【００１９】
上記目的を達成するために本発明は、上部に光ディスクが載置されるターンテーブルと、前記ターンテーブルと前記光ディスクを挟持するクランパユニットとを有し、前記ターンテーブルは前記光ディスクが載置されるディスク載置部を有し、前記クランパユニットは樹脂の一体成型にて形成された円筒形状のクランパ部材を有しており、前記ターンテーブルと前記クランパ部材とで前記光ディスクを挟持し、前記光ディスクを回転させるとともにレーザ光を照射して情報を再生又は記録する光ディスク装置であって、前記クランパ部材の下面には、一部が前記クランパ部材の下面より突出した弾性部が備えられており、前記弾性部は前記光ディスクが前記ターンテーブルと前記クランパ部材とで挟持されているとき、弾性変形するとともにその反力で前記光ディスクを押しており、前記弾性部は前記反力が前記ターンテーブルと前記クランパ部材との挟持力よりも小さくなるように形成されていることを特徴とする。
【００２０】
この構成によると、前記光ディスクの記録／再生が終了し、前記ターンテーブルが前記クランパ部材よりはなれるときに、前記クランパ部材の前記弾性部が前記光ディスクを押す。これにより、前記光ディスクのラベル面（前記クランパ部材と当接する面）が、前記クランパ部材より離れなくなるのを抑制することができる。
【００２１】
これにより、前記光ディスクが排出されない、前記光ディスクを挿入／排出する駆動機構に引っかかり、前記光ディスク或いは前記駆動機構を破損したり、動作不能にさせたりする不具合が発生するのを抑えることができる。
【００２２】
前記クランパ部材より離れなくなる光ディスクとして、ラベル面に印刷可能な光ディスク、印刷面にシール等が貼付されている光ディスク等のラベル面が光ディスク装置の熱で変性して粘着力を有するようになるものを挙げることができる。
【００２３】
上記構成において、前記弾性部は前記クランパ部材と一体に形成されていることを特徴とするものであってもよい。
【００２４】
また上記構成において、前記ターンテーブルは上部にヨークを有しており、前記クランパユニットは内部に永久磁石と、磁性体で形成され、前記永久磁石の上部に前記永久磁石と接触して配置されたバックヨークとを有しており、前記永久磁石、前記ヨーク及び前記バックヨークで発生する磁力によって光ディスクを挟持するものであってもよい。
【００２５】
このとき、前記永久磁石は円環状で形成され前記クランパ部材の軸に嵌合されるものであり、前記バックヨークは中央に配置された円板部と、前記本体部の周縁部より径方向外部に向かって突出する係合部とを有する磁性板であり、前記クランパ部材は円筒形状の本体部と、前記本体部の内壁部より中心軸に向けて突出した複数個のストッパ部と、前記本体部の中心軸と直交するように配置され、前記ストッパ部と一体的に連結された台座部と、一方の端部が前記本体部の内壁部と一体的に接続し、前記他方の端部が前記ストッパ部と対向した弾性部と、前記本体部の前記ストッパ部と前記弾性部の他方の端部の間より中心に向かって突出し、先端が下方に屈曲した押え部材とを有し、前記弾性部は前記バックヨークの前記係合部と他方の端部で当接し、回り止めを行う部材であり、前記永久磁石は前記台座部に載置され、前記バックヨークは前記永久磁石の上部に配置されるとともに回転されることで前記弾性部にて回り止めがなされており、前記クランパ部材の前記弾性部は、下面の前記他方の端部近傍に下方に突設された接触ボスを備えており、前記接触ボスは、その先端部が前記ディスク圧着部の光ディスク当接面よりも中心軸方向に下方に突出するように形成されており、前記接触ボスの前記光ディスク突出する突出量が、前記光ディスクを挟持したときの前記弾性部の反力が前記ターンテーブルと前記クランパ部材の前記光ディスクを挟持する力よりも小さくなるように決定されているものとすることができる。
【００２６】
さらに上記構成において、前記クランパユニットは上部にクランパ部材を下方に押圧する押圧部材を備えているものとしてもよい。
【発明の効果】
【００２７】
本発明によると、特殊な部材や駆動機構を利用したり、特殊な加工を施すことなく、光ディスクメディアが挟持されている状態から解除されるときに、前記光ディスクメディアがクランパ部材に貼り付いて残留することなく、確実に離脱させることができる光ディスク装置を提供することができる。
【発明を実施するための最良の形態】
【００２８】
以下に本発明の実施形態を図面を参照して説明する。図１は本発明にかかる光ディスク装置の一例の斜視図である。図１に示すように光ディスク装置ＡはディスクトレイＴｒが、外装ハウジングＯｈのフロントパネルＦｐに設けられたスリット状の出入り口Ｓｔから、出入りできるように配置されている。
【００２９】
ディスクトレイＴｒは光ディスク装置Ａに摺動可能に配置されているものであり、出入り口Ｓｔより光ディスク装置Ａの外部に排出されている状態で光ディスクを載置し、ディスクトレイＴｒを内部に摺動させることで光ディスクが再生／記録可能な領域に挿入される。また、ディスクトレイＴｒを光ディスク装置Ａ内部より外部に摺動させることで光ディスク装置Ａ内部に挿入されている光ディスクが排出される。
【００３０】
図２は本発明にかかる光ディスク装置の断面図であり、図３は図２に示す光ディスク装置が光ディスクを挟持した状態の断面図であり、図４は図２に示す光ディスク装置に採用されているクランパ部材の平面図であり、図５は図４に示すクランパ部材に断面図である。図２に示すように光ディスク装置Ａは、トラバースシャーシＴｃの上に取り付けられたスピンドルモータ１と、スピンドルモータ１の出力軸１１に固定されたターンテーブル２と、ターンテーブル２と対向して配置されたクランパユニット３とを有している。
【００３１】
スピンドルモータ１は光ディスクＤｓに対して昇降自在に設けられているトラバースシャーシＴｃに固定されており、出力軸１１がトラバースシャーシＴｃに対して直交するように配置されている。スピンドルモータ１は、それには限定されないが、ここでは、常に平面視（光ディスクＤｓのラベル面より見て）時計回りに回転するモータである。
【００３２】
ターンテーブル２は円板状のディスク載置部２１と、ディスク載置部２１の上部の中央より突設されたハブ２２とを有している。ハブ２２は光ディスクＤｓの中央に形成された貫通孔Ｄ１を貫通するものであり、ディスク載置部２１は光ディスクＤｓの中央の記録層が形成されていない環状の透明部と記録面側から接触するものである。ディスク載置部２１及びハブ２２はそれには限定されないが、樹脂の一体成形にて製造されたものである。
【００３３】
図２、図３に示すように、ターンテーブル２のハブ２２は上面に、上部が開口しターンテーブル２の中心軸Ｃと同一中心軸を有する断面円形状の溝２３が形成されている。また、図２に示すように、ハブ２２の溝２３には、円筒形状を有するヨーク４が挿入されるとともに、かしめ、溶着等の従来良く知られている方法で抜けないように固定されている。
【００３４】
クランパユニット３は光ディスク装置Ａに備えられたホルダ８に回転自在に支持されたものである。ホルダ８は、大径部８１と小径部８２とが連結され、段つきに形成された貫通孔８３を有している。なお、図２、３等を見ればわかるように、貫通孔８３は、大径部８１が上部（ターンテーブル２と反対側）になるように形成されている。また、図示は省略しているが、ホルダ８には、クランパユニット３が上方に抜けるのを防ぐための抜けとめ部材が備えられている。
【００３５】
図４、図５に示すように、クランパユニット３はターンテーブル２と対向して配置されたクランパ部材５と、クランパ部材５の内部に配置されたバックヨーク６と、永久磁石６３とを有している。クランパ部材５は、小径部８２に回動自在に内嵌された円筒形状の本体部５１と、本体部５１の上端部にフランジ状に形成され、大径部８１に回動自在に内嵌された抜け止め部５２と、本体部５１の下端面に形成され、ディスク載置部２１と対向したディスク圧着部５３とを有している。
【００３６】
本体部５１は、内壁部５１０より中心軸Ｃに向けて突出し、中心軸Ｃに沿う方向に延伸され、等中心角度間隔で形成された３個のストッパ部５１１と、本体部５１の内部の軸方向中間部に配置され、ストッパ部５１１と一体接続されバックヨーク６及び永久磁石６３を載置する台座部５１２と、一方の端部が内壁部５１０と一体的に接続され（図５参照）、他方の端部がストッパ部５１１と対向した３個の弾性部５４と、内壁部５１０のストッパ部５１１と弾性部５４の他方の端部との間の部分の上部より中心に向かって突出し、先端が下方に屈曲した３個の押え部材５５と、台座部５１２の上面の中心部より中心軸Ｃ方向に立設されたセンターボス５１３とを有している。
【００３７】
弾性部５４は内壁部５１０に沿って湾曲した形状の本体部５４０と、本体部５４０の一方の端部に内壁部５１０と一体接続された接続部５４１と、他方の端部に形成され端部に向かって拡がる形状の傾斜部５４２と、本体部５４０の下面の他方の端部近傍に、下方に向かって突設された接触ボス５４３とを有している。図５に示すように、接触ボス５４３は本体部５１の中心軸Ｃと平行に形成されており、その先端部はディスク圧着部５３よりも下方に突出している。
【００３８】
押え部材５５は、内壁部５１０と一体に形成されているアーム部５５１と、アーム部５５１の先端より本体部５１の中心軸Ｃと平行に下方に立設された制限部５５２とを有している。
【００３９】
バックヨーク６は、磁性体を板状に形成した部材であり、円形状の本体部６１と、本体部６１の周縁部に等中心角度間隔で径方向に一体的に伸びる係合部６２とを有している。バックヨーク６は円形状の外形を有している。また、本体部６１の中央には貫通孔６０が形成されている。永久磁石６３は、円環状を有しており、中央にセンターボス５１３が内嵌できる貫通孔６３０を有している。永久磁石６３の外形はそれには限定されないがここでは、本体部６１よりも小さく形成されている。
【００４０】
バックヨーク６及び永久磁石６３のクランパ部材５へ取り付けを図４、図５を参照して説明する。まず、貫通孔６３０にセンターボス５１３が貫通するように永久磁石６３をクランパ部材５の上部より挿入する。永久磁石６３は台座部５１２上に載置される。台座部５１２に永久磁石６３が載置された状態で、バックヨーク６をクランパ部材５の上部より配置する。このとき、バックヨーク６の係合部６２は弾性部５４の上方より、本体部６１と台座部５１２と当接させる。なお、バックヨーク６を取り付けるときに永久磁石６３が磁力で台座部５１２より外れるのを防止するために、永久磁石６３を台座部５１２に接着して固定してもよい。
【００４１】
このとき、バックヨーク６の係合部６２は内壁部５１０と接触しつつ移動され、永久磁石６３と接触する。このとき、係合部６２は弾性部５４の上部に配置される。そして、バックヨーク６を永久磁石６３に接触させた状態で、中心軸を中心に反時計回りに回転させる（図５中矢線で示すように）。このとき、バックヨーク６の係合部６２は、押え部５５の制限部５５２の下方を通され、傾斜部５４２と接触される。
【００４２】
バックヨーク６が反時計回りにさらに回転させられると、係合部６２は弾性部５４の傾斜部５４２を押しのける。傾斜部５４２が押しのけられることで、弾性部５４の本体部５４０は下方にたわむ。このとき、係合部６２は弾性部５４の変形による反力を受けるが、上部より押え部５５の制限部５５２に移動を制限されているので、バックヨーク６及びバックヨーク６の下方に配置され、バックヨーク６と台座部５１２とで挟まれた永久磁石６３とは上方への移動が制限される。
【００４３】
さらに、バックヨーク６を回転させると、係合部６２は弾性部５４の傾斜部５４２を完全に通過し、ストッパ部５１１と接触して回動が停止される。このとき、弾性部５４が係合部６２から受けていた変形を起こすための力が解放されるので、弾性部５４は元の位置に戻る。弾性部５４が元の位置に戻ることで、弾性部５４が係合部６２と当接し、バックヨーク６は戻る（時計回りに回る）のを制限され、バックヨーク６及び永久磁石６３がクランパ部材５に取り付けられる。
【００４４】
光ディスクが挿入されて挟持される動作は次のように行われる。まず、上部に光ディスクが載置されたディスクトレイＴｒを摺動させ、光ディスクＤｓを光ディスク装置Ａの内部に搬送する。ディスクトレイＴｒが最奥まで移動すると、トラバースシャーシＴｃがディスクトレイＴｒに向かって上昇する。トラバースシャーシＴｃに取り付けられたターンテーブル２のハブ２２が光ディスクＤｓの中心に形成された貫通孔を貫通し、ディスク載置部２１で光ディスクＤｓを支える（図２参照）。
【００４５】
トラバースシャーシＴｃがさらに上昇すると、光ディスクＤｓはディスクトレイＴｒより持ち上げられ、光ディスクＤｓ及び光ディスクＤｓが載置されているターンテーブル２がクランパユニット３に接近する。ターンテーブル２がクランパユニット３に接近すると、ターンテーブル２に固定されているヨーク４とクランパユニット３に固定されているバックヨーク６及び永久磁石６３との間に磁力が発生する。
【００４６】
光ディスクＤｓがクランパ部材５のディスク圧着部５３に接触して、トラバースシャーシＴｃは上昇を停止する。このとき、光ディスクＤｓは上述した磁力によって、ターンテーブル２のディスク載置部２１とクランパ部材５のディスク圧着部５３とで挟持される。
【００４７】
このとき、クランパ部材５の接触ボス５４３は、光ディスクＤｓに押されて、本体部５１の内部に収納され、これにより、接触ボス５４３が一体的に突設された本体部５４０は弾性変形する。
【００４８】
この状態で、スピンドルモータ１を駆動してターンテーブル２を回転させることで、光ディスクＤｓとターンテーブル２或いはクランパユニット３とがすべることなく回転するので、光ディスクＤｓを安定した回転数で回転させることが可能である。このように、光ディスクＤｓが回転した状態で、トラバースシャーシＴｃに配置された光ピックアップ（図示省略）より光ディスクＤｓの記録面にレーザ光を照射して、データの記録／再生を行う。
【００４９】
データの記録／再生が終了した光ディスクＤｓを取り出すときは次の手順で行われる。光ピックアップをトラバースシャーシＴｃの所定の位置に移動し、トラバースシャーシＴｃを下降させる。トラバースシャーシＴｃを下降させると、作用している磁力に反してターンテーブル２がクランパユニット３より離れる。
【００５０】
光ディスクＤｓはその自重でクランパユニット３のディスク圧着部５３より離間し、ターンテーブル２のディスク載置部２１に載置されて移動する。しかしながら、光ディスクＤｓがラベル面（クランパユニット３と当接する面）に印刷可能なプリンタブルディスクであったり、レンタル店当の商品で管理用のシールが張ってあったりして、ラベル面に粘着力を発生するものがある。
【００５１】
このように、粘着力を発生する光ディスクＤｓの場合、トラバースシャーシＴｃが下降して、ターンテーブル２がクランパユニット３より離間しても、光ディスクＤｓがクランパ部材５のディスク圧着部５３に張り付こうとする。このとき、ターンテーブル２とクランパユニット３との吸着力（ヨーク４、永久磁石６３、バックヨーク６に発生する磁力）で変形していた弾性部５４が元の形状に戻ろうとする復元力によって、弾性部５４の接触ボス５４３が光ディスクＤｓを押す。光ディスクＤｓは接触ボス５４３に押されることで、ディスク圧着部５３に貼り付くのを抑制することができる。
【００５２】
このように、光ディスクＤｓがクランパユニット３に張り付くのを抑制することができるので、光ディスクＤｓが光ディスク装置Ａの内部に残留してしまうのを防ぐことができる。これにより、光ディスクＤｓが破損してしまったり、光ディスクＤｓが光ディスク装置Ａの可動部に挟まれて光ディスク装置Ａの一部を破損してしまう不具合が発生するのを抑制することが可能である。
【００５３】
次に本発明にかかる光ディスク装置の他の例の説明をする。図６は図６に示す光ディスク装置は、ターンテーブル２とクランパユニット７とが異なる以外は、図２等に示す光ディスク装置と同じ構成を有するものであり、実質上同じ部分には同一の符号が付してある。
【００５４】
図６に示すようにクランパユニット７は光ディスク装置Ｂに備えられたホルダ８に回転自在に支持されたものである。ターンテーブル２と対向して配置されたクランパ部材７１と、クランパ部材７１を上部より押圧支持する弾性支持部材７２とを有している。弾性支持部材７２はホルダ８に取り付けられている。
【００５５】
クランパ部材７１は、円筒形状の本体部７１１と、本体部７１１の上端部にフランジ状に形成された抜け止め部７１２と、本体部７１１の下端面に形成され、ディスク載置部２１と対向したディスク圧着部７１３と、本体部７１１と同一の中心軸を有し本体部７１１の内部に一体的に連結された接触支持部７１４と、その先端部の一部がディスク圧着部７１３よりも突出した弾性部７１５とを有している。
【００５６】
接触支持部７１４は本体部７１１の上端部より突出して形成されているものであり、先端に向かって細くなるように形成されている。また、その先端部が曲面上に形成されており、その曲面部で弾性支持部材７２と当接している。
【００５７】
弾性支持部材７２は、弾性部材７２０と、金属製長尺の本体部７２１と、一方の端部に回動可能な滑接点であるピン７２２と、他方の端部に弾性部材７２０と係合する係合端部７２３とを有している。弾性支持部材７２はピン７２２でホルダ８に回転自在に支持されているとともに、弾性部材７２２の弾性力により下方に付勢されており、接触支持部７１４と接触することでクランパ部材７１を下方に押圧している。
【００５８】
弾性部７１５は、それには限定されないが、ここでは、一方の端部が本体部７１１に取り付けられている片持ちの弾性変形可能な部材である。弾性部７１５は光ディスクＤｓの回転方向の下流側に自由端部が形成されている。このように自由端部が形成されていることで、万一光ディスクＤｓとクランパ部材７１とが滑った場合であっても、光ディスクＤｓに傷がつくのを抑制することが可能である。
【００５９】
弾性部７１５の弾性力は弾性部材７２２の弾性力よりも小さくなるように形成されている。このことにより、弾性部７１５の弾性力によって光ディスクＤｓの挟持が不安定になるのを抑制することができ、光ディスクＤｓを安定して回転させることが可能である。
【００６０】
上記実施例において、弾性部として、片持ちの部材でありたわむように弾性変形し、弾性力を発揮するものを利用しているが、それに限定するものではなく、たとえば、弾性を有する材料を立体形状に形成したもの、コイルばね及びこれらを組み合わせたもの等、光ディスクＤｓに対して弾性力を発生させることができる形状、配置のものを広く採用することができる。また、ディスクトレイに光ディスクを載置し、トレイを摺動させて光ディスクを挿入するものに採用しているが、それに限定されるものではなく、光ディスクのみを挿入する、所謂、スロットインタイプの光ディスク装置に対しても採用することができる。
【００６１】
以上、発明の実施形態を具体的に説明したが、本発明は上記実施形態に限定するものではなく、その要旨を逸脱しない範囲で種々変更可能である。
【産業上の利用可能性】
【００６２】
本発明は、ＣＤ、ＤＶＤ、ＢＤ等の光ディスクメディアの記録又は再生を行うことができる光ディスク装置に採用することが可能である。
【図面の簡単な説明】
【００６３】
【図１】本発明にかかる光ディスク装置の一例の斜視図である。
【図２】本発明にかかる光ディスク装置の断面図である。
【図３】図２に示す光ディスク装置が光ディスクを挟持した状態の断面図である。
【図４】図２に示す光ディスク装置に採用されているクランパ部材の平面図である。
【図５】図４に示すクランパ部材に断面図である。
【図６】本発明にかかる光ディスク装置の他の例の断面図である。
【符号の説明】
【００６４】
１  スピンドルモータ
１１  出力軸
２  ターンテーブル
２１  ディスク載置部
２２  ハブ
２３  溝
３  クランパユニット
４  ヨーク
５  クランパ部材
５１  本体部
５１１  ストッパ部
５１２  台座部
５１３  センターボス
５２  抜け止め部
５３  ディスク圧着部
５４  弾性部
５４０  本体部
５４１  接続部
５４２  傾斜部
５４３  接触ボス
５５  押え部材
５５１  アーム部
５５２  制限部
６  バックヨーク
６１  本体部
６２  係合部
６３  永久磁石
７  クランパユニット
７１  クランパ部材
７２  弾性支持部材
８  ホルダ
８１  大径部
８２  小径部
【図１】
2008257795.tif 000003
【図２】
2008257795.tif 000004
【図３】
2008257795.tif 000005
【図４】
2008257795.tif 000006
【図５】
2008257795.tif 000007
【図６】
2008257795.tif 000008